(57)【要約】【課題】ノズルを加工液供給部に対して簡単な操作で容易に着脱することができるワイヤソーを提供する。【解決手段】複数の加工用ローラ間にワイヤを複数回周回させる。加工液供給部１５の一次側口金１６に対してノズル１４の二次側口金１７を着脱可能に接続して、加工液供給部１５からの加工液がノズル１４よりワイヤに供給されるようにする。一次側口金１６と二次側口金１７との間には、ノズル１４の二次側口金１７を加工液供給部１５の一次側口金１６に対して、接続口径方向の横位置を決める凹溝２０と係合部２１となる係合手段と、ノズル１４の装着に伴って二次側口金１７を一次側口金１６に対する接続方向及び上下方向に位置決めするカム構造２３を設ける。【選択図】図６
2013010151.tif 000002
【特許請求の範囲】
【請求項１】
複数の加工用ローラ間にワイヤが複数回周回されるとともに、加工液供給部の一次側口金に対してノズルの二次側口金が着脱可能に接続され、加工液供給部からの加工液がノズルからワイヤに供給されるようにしたワイヤソーにおいて、
前記一次側口金と二次側口金との間には、ノズルの二次側口金を加工液供給部の一次側口金に対して接続口径方向の横位置を決める係合手段と、ノズルの装着に伴って二次側口金を一次側口金に対する接続方向及び上下方向に位置決めするカム手段を設けたことを特徴とするワイヤソー。
【請求項２】
前記カム手段は、凹凸の嵌合構造よりなることを特徴とする請求項１に記載のワイヤソー。
【請求項３】
前記カム手段は、一次側口金及び二次側口金の一方に設けられたカム溝と、他方に設けられたカム片とよりなり、二次側口金を一次側口金に装着することによってカム片がカム溝内に嵌合されて、カム作用により二次側口金が一次側口金との接続方向に移動されることを特徴とする請求項２に記載のワイヤソー。
【発明の詳細な説明】
【技術分野】
【０００１】
この発明は、例えば半導体材料、磁性材料、セラミックス等の脆性材料よりなるワークをワイヤにより切断加工するようにしたワイヤソーに関するものである。
【背景技術】
【０００２】
一般に、この種のワイヤソーにおいては、複数の加工用ローラ間にワイヤが複数回周回されるとともに、そのワイヤ上にノズルが対向配置されている。そして、加工用ローラの回転により、ワイヤが加工用ローラ間で周回走行されながら、ノズルの下部に設けられた供給口からワイヤ上に砥粒を含むスラリ等の加工液が供給される。この状態で、ワイヤに対してワークが押し付けられることにより、ワークに切断加工が施される。
【発明の概要】
【発明が解決しようとする課題】
【０００３】
ところで、前記のような構成のワイヤソーにおいては、ノズルの供給口等が加工液に含まれる砥粒等によって目詰まりを生じやすいため、ノズルを加工液供給部から取り外して清掃する必要がある。従来は、ノズルを加工液供給部に対してクランプボルトで固定する構造になっていたため、取付け・取外し作業に手間がかかっていた。また、まれにクランプボルトを締め忘れるようなこともあった。このため、ノズルを加工液供給部に対して、簡単な操作で容易かつ適切に着脱することができる装着構成が従来から望まれていた。
【０００４】
この発明は、このような従来からの要望に対応するためになされたものである。その目的は、ノズルを加工液供給部に対して簡単な操作で容易かつ適切に着脱することができるワイヤソーを提供することにある。
【課題を解決するための手段】
【０００５】
上記の目的を達成するために、この発明は、複数の加工用ローラ間にワイヤが複数回周回されるとともに、加工液供給部の一次側口金に対してノズルの二次側口金が着脱可能に接続され、加工液供給部からの加工液がノズルよりワイヤに供給されるようにしたワイヤソーにおいて、前記一次側口金と二次側口金との間には、ノズルの二次側口金を加工液供給部の一次側口金に対して接続口径方向の横位置を決める係合手段と、ノズルの装着に伴って二次側口金を一次側口金に対する接続方向及び上下方向に位置決めするカム手段を設けたことを特徴としている。
【０００６】
従って、この発明のワイヤソーにおいて、ノズルの清掃等を行った場合には、ノズルの二次側口金を加工液供給部の一次側口金に装着すると、係合手段により接続口の径方向の位置決めがなされると共に、カム手段により二次側口金が一次側口金に対する接続方向及び上下方向に位置決めされて、両口金が接続状態になる。よって、両口金を接続状態に締め付け固定するためのボルト等を設ける必要がなく、ノズルの装着構成を簡素化することができるとともに、ノズルを加工液供給部に対して単に差し込み装着するだけで簡単な操作で容易かつ適切に着脱することができる。
【０００７】
前記の構成において、前記カム手段は、凹凸の嵌合構造よりなることが好ましい。
前記の構成において、前記カム手段は、一次側口金及び二次側口金の一方に設けられたカム溝と、他方に設けられたカム片とよりなり、二次側口金を一次側口金に装着することによってカム片がカム溝内に嵌合されて、カム作用により二次側口金が一次側口金との接続方向に移動されることが好ましい。
【発明の効果】
【０００８】
以上のように、この発明によれば、ノズルを加工液供給部に対して容易に着脱することができるという効果を発揮する。
【図面の簡単な説明】
【０００９】
【図１】一実施形態のワイヤソーを示す概略正面図。
【図２】図１のワイヤソーの平面図。
【図３】加工液供給部に対するノズルの接続構成を示す拡大側面図。
【図４】図３の一部を拡大して示す部分側面図。
【図５】図４に対応してノズルを取り外した状態を示す部分側面図。
【図６】ノズルの接続構成を拡大して示す要部分解斜視図。
【図７】図５の７−７線における拡大断面図。
【図８】図５の８−８線における拡大断面図。
【図９】変更例を示す平面図。
【発明を実施するための形態】
【００１０】
以下に、この発明を具体化したワイヤソーの一実施形態を図面に従って説明する。
図１及び図２に示すように、この実施形態のワイヤソーにおいては、図示しないフレーム上に複数（実施形態では一対）の加工用ローラ１１が一対の支持フレーム１２を介して、横方向へ平行に延びる軸線を中心に回転可能に支持されている。各加工用ローラ１１の外周面には複数の環状溝１１ａが所定のピッチで形成され、両加工用ローラ１１の環状溝１１ａ間にはワイヤ１３が複数回周回されている。各加工用ローラ１１の上方位置においてワイヤ１３の配列方向に沿って延長配置されるように、支持フレーム１２間には一対のノズル１４が架設されている。各ノズル１４の下部には、ワイヤ１３上に加工液を供給するための図示しない供給口が設けられている。
【００１１】
そして、図１に示すように、加工用ローラ１１の回転により、ワイヤ１３が加工用ローラ１１間で延長方向に周回走行されながら、各ノズル１４の供給口からワイヤ１３上に加工液が供給される。この状態で、ワイヤ１３に対してワークＷが押し付けられることによって、ワークＷに切断加工が施される。
【００１２】
図２〜図４に示すように、前記両ノズル１４に対応して一方の支持フレーム１２には、供給管等よりなる一対の加工液供給部１５が配置されている。各加工液供給部１５の下端には一次側口金１６が固定され、その一次側口金１６の端面には接続口１６ａが開口されている。各ノズル１４の一端部には、加工液供給部１５の一次側口金１６に着脱可能に接続される二次側口金１７が固定されている。二次側口金１７の端面には、一次側口金１６の接続口１６ａに接続可能な接続口１７ａが開口されている。各ノズル１４の他端部には、他方の支持フレーム１２上の長孔等の係止部１８に係脱可能なピン１９が突設されている。
【００１３】
図６〜図８に示すように、前記加工液供給部１５側の一次側口金１６の端面には上下方向に延びる凹溝２０が形成され、その凹溝２０の上端両側にはテーパ状の傾斜面２０ａが形成されている。ノズル１４側の二次側口金１７の端面には、凹溝２０に係合可能な係合部２１、及びその係合部２１よりも若干幅狭の案内部２２が設けられている。案内部２２の下端両側には、テーパ状の傾斜面２２ａが形成されている。前記凹溝２０と係合部２１とにて接続口径方向の横位置を決める係合手段が構成されている。そして、図５、図６及び図８に示すように、ノズル１４の二次側口金１７が加工液供給部１５の一次側口金１６に対して上方から装着されるとき、凹溝２０内に案内部２２が挿入された後に係合部２１が係合される。この係合により、二次側口金１７が一次側口金１６に対して両接続口１６ａ，１７ａを合わせるように、ノズル１４の延長方向と直交する横方向の接続位置に位置決めされる。
【００１４】
前記加工液供給部１５側の一次側口金１６とノズル１４側の二次側口金１７との間には、ノズル１４の装着に伴って二次側口金１７を一次側口金１６に対する接続方向（図３の右方向）及び上下方向に位置決めするためのカム手段を構成する凹凸の嵌合構造としてのカム構造２３が設けられている。すなわち、一次側口金１６の両側面には上下方向に延びる一対のカム溝２４が形成され、各カム溝２４の上端開口縁にはテーパ状の傾斜面２４ａが形成されている。二次側口金１７の上部両側にはカム溝２４に係合可能な一対のカム片２５が下方に向かって突設され、各カム片２５の下端縁には少なくとも係合部２１に向き合う側の面にテーパ状の傾斜面２５ａが形成されている。
【００１５】
図３に示すように、ノズル１４の他端部には、支持フレーム１２上の係止部１８に係脱可能なピンが突設され、ここにノズル１４の他端部を決めた状態でノズル１４の一端部を上方からゆるやかな曲線（弧）を描くように加工液供給部１５に装着する。この時、図５、図６及び図８に示すように、まず、凹溝２０と係合部２１との係合によって、口径方向の横位置が決まり、次に両カム片２５がカム溝２４内に嵌入される。この嵌入により、各カム片２５の傾斜面２５ａに案内されて二次側口金１７が一次側口金１６に向かって引き込み移動されて、最終的に両口金１６，１７の接続口１６ａ，１７ａが密着状態に接続される。同時に一次側口金１６の上面に二次側口金１７の一対のカム片２５間の下面２６が当接して上下位置が固定される。
【００１６】
次に、前記のように構成されたワイヤソーの作用を説明する。
図２〜図４に示す状態においては、ノズル１４の二次側口金１７が加工液供給部１５の一次側口金１６に接続されて、ノズル１４が各加工用ローラ１１の上方位置においてワイヤ１３の配列方向に沿って延長配置されている。この状態から、ノズル１４を清掃等のために加工液供給部１５から取り外す場合には、ノズル１４の二次側口金１７を加工液供給部１５の一次側口金１６に対して引き上げる。すると、図５及び図６に示すように、二次側口金１７の両カム片２５が一次側口金１６のカム溝２４内から上方に離脱されるとともに、二次側口金１７の係合部２１及び案内部２２が一次側口金１６の凹溝２０内から上方に離脱される。このため、両口金１６，１７の接続が解離されて、ノズル１４を加工液供給部１５から取り外すことができる。
【００１７】
そして、ノズル１４の清掃等を行った後、そのノズル１４を加工液供給部１５に装着する場合には、図３，図５及び図６に示すように、ノズル１４の他端部を決めた状態でノズル１４の二次側口金１７を加工液供給部１５の一次側口金１６の前面上方に配置した状態で、一次側口金１６に向かって下降させる。すると、図８に鎖線で示すように、二次側口金１７の案内部２２が一次側口金１６の凹溝２０内に先行挿入されて案内されながら、二次側口金１７の係合部２１が一次側口金１６の凹溝２０に係合される。この係合により、二次側口金１７が一次側口金１６に対して、ノズル１４の延長方向と直交する口径方向の横位置、すなわち両口金１６，１７の接続口１６ａ，１７ａが互いに接続する位置の横方向の位置が位置決めされる。
【００１８】
それとともに、図３及び図４に示すように、二次側口金１７の両カム片２５が一次側口金１６のカム溝２４内に嵌入される。この嵌入により、二次側口金１７が一次側口金１６に向かって引き込み移動されて、かつ、両カム片２５間の下面２６と一次側口金１６の上面との係合にて上下方向の高さ位置が決められて、両口金１６，１７の接続口１６ａ，１７ａが密着状態で接続される。そして、カム溝２４に対するカム片２５の嵌入によって、両口金１６，１７が接続状態に固定保持される。以上のように、ノズル１４の端部を加工液供給部１５に対して、上方から差し込むだけのワンタッチ操作で容易に装着することができる。
【００１９】
従って、この実施形態によれば、以下のような効果を得ることができる。
（１）  このワイヤソーにおいては、ノズル１４の二次側口金１７を加工液供給部１５の一次側口金１６に装着したとき、両口金１６，１７間に設けられた口径方向の横位置を決める凹溝２０と係合部２１の係合及びカム構造２３により、二次側口金１７が一次側口金１６に対する接続位置へ位置決めされて、両口金１６，１７が接続される。このため、両口金１６，１７を接続状態に締め付け固定するためのクランプボルト等を設ける必要がなく、ノズル１４の装着構成を簡素化することができるとともに、ノズル１４の清掃時等において、ノズル１４を加工液供給部１５に対して簡単な操作で容易かつ適切に着脱することができる。
【００２０】
（２）  このワイヤソーにおいては、前記カム構造２３が、一次側口金１６に形成されたカム溝２４と、そのカム溝２４に嵌入するように二次側口金１７に設けられたカム片２５とから構成されている。このため、簡単なカム構造２３によって、両口金１６，１７を容易に接続または解離させることができる。
【００２１】
（変更例）
なお、この実施形態は、次のように変更して具体化することも可能である。
・  前記実施形態において、図９に示すように、ノズル１４を２連型等の複数連型に構成して、加工用ローラ１１の上方位置に延長配置すること。
【００２２】
・  ノズル１４を加工用ローラ１１の上方位置に限らず、加工用ローラ１１とワークＷとの間に位置するワイヤ１３の上方位置に配置すること。
・  前記実施形態において、カム手段としてのカム構造２３並びにカム形状を任意に変更すること。例えば、カム溝２４を二次側口金１７に、カム片２５を一次側口金１６に設けること。
【符号の説明】
【００２３】
１１…加工用ローラ、１３…ワイヤ、１４…ノズル、１５…加工液供給部、１６…一次側口金、１６ａ…接続口、１７…二次側口金、１７ａ…接続口、２０…凹溝、２１…係合部、２３…カム手段としてのカム構造、２４…カム溝、２５…カム片、Ｗ…ワーク。
【図１】
2013010151.tif 000003
【図２】
2013010151.tif 000004
【図３】
2013010151.tif 000005
【図４】
2013010151.tif 000006
【図５】
2013010151.tif 000007
【図６】
2013010151.tif 000008
【図７】
2013010151.tif 000009
【図８】
2013010151.tif 000010
【図９】
2013010151.tif 000011